(57)【要約】【課題】  管理室親機を操作するだけで住戸親機に住戸番号の登録が可能な集合住宅インターホンシステムを提供する。【解決手段】  住戸親機の電源が投入されると、送信されたＩＤが管理室親機で受信され（Ｓ２）、受信したＩＤ情報を基に未登録の住戸親機の台数が表示部に表示される（Ｓ３）。この表示を受けて、管理室親機のテンキーボタンとスクロールボタンを使用して受信したＩＤ情報を表示部に表示（Ｓ５）させ、表示されたＩＤに対応する住戸番号をテンキーボタン等を操作して登録する（Ｓ６）。こうして登録された情報は登録用メモリに記憶される（Ｓ７）。未登録の住戸親機の台数表示が無くなったら登録を終了する。【選択図】  図４
2009182843.tif 000002
【特許請求の範囲】
【請求項１】
来訪者が居住者を呼び出して通話するための玄関機と、前記玄関機からの呼び出しに応答するための住戸親機と、前記玄関機及び前記住戸親機と通話が可能な管理室親機とを有する集合住宅インターホンシステムにおいて、
前記住戸親機は、電源投入を受けて自身に設定されているＩＤを前記管理室親機に送信するＩＤ送信制御部を備える一方、前記管理室親機には、受信した前記ＩＤ情報を基に前記住戸親機に住戸番号を登録操作する登録操作部、及び登録を制御する登録制御部とを有することを特徴とする集合住宅インターホンシステム。
【請求項２】
来訪者が居住者を呼び出して通話するための玄関機と、前記玄関機からの呼び出しに応答するための住戸親機と、前記玄関機及び前記住戸親機と通話が可能な管理室親機とを有する集合住宅インターホンシステムにおいて、
前記住戸親機は、電源投入を受けて自身に設定されているＩＤを前記管理室親機に送信するＩＤ送信制御部を備える一方、前記管理室親機は、前記住戸親機ＩＤの住戸番号を対応させたＩＤテーブルを記憶したＩＤテーブル記憶部、及び前記住戸親機に住戸番号を登録する制御を行う登録制御部とを有し、
前記登録制御部は、前記住戸親機からＩＤが送信されたら前記ＩＤテーブルを参照して前記住戸親機に住戸番号を登録することを特徴とする集合住宅インターホンシステム。
【請求項３】
来訪者が居住者を呼び出して通話するための玄関機と、前記玄関機からの呼び出しに応答するための住戸親機と、前記玄関機及び前記住戸親機と通話が可能な管理室親機と、前記玄関機、前記住戸親機、前記管理室親機の各機器間の通信を制御する制御機とを有する集合住宅インターホンシステムにおいて、
前記住戸親機は、電源投入を受けて自身に設定されているＩＤを前記管理室親機に送信するＩＤ送信制御部を備える一方、前記制御機は、前記住戸親機ＩＤの住戸番号を対応させたＩＤテーブルを記憶したＩＤテーブル記憶部、及び前記住戸親機に住戸番号を登録する制御を行う登録制御部とを有し、
前記登録制御部は、前記住戸親機からＩＤが送信されたら前記ＩＤテーブルを参照して前記住戸親機に住戸番号を登録することを特徴とする集合住宅インターホンシステム。
【請求項４】
前記管理室親機は、未登録住戸親機の台数を表示する台数表示部を有し、
前記登録制御部は、前記居室親機を登録中に更に他のＩＤを受信したときは、そのＩＤ情報を加えて前記台数表示部に表示することを特徴とする請求項１乃至３の何れかに記載の集合住宅インターホンシステム。
【請求項５】
前記登録制御部は、住戸親機登録中の前記管理室親機に呼び出しが成されたら、登録モードから呼出モードに移行すると共に登録制御状態を保持し、呼出或いは通話が終了したら登録モードに復帰させて前記保持した状態から登録制御を継続することを特徴とする請求項１乃至４の何れかに記載の集合住宅インターホンシステム。
【発明の詳細な説明】
【技術分野】
【０００１】
本発明は集合住宅用インターホンシステムに関し、特に住戸親機に住戸番号を登録する住戸親機の登録操作の改良に関する。
【背景技術】
【０００２】
集合住宅用インターホンシステムは、エントランス等に設置された玄関機、管理人室等に設置された管理室親機、各住戸に設置された住戸親機を有し、玄関機等から住戸番号が入力されることで、住戸親機を選択して呼び出しが成される。このように住戸番号検索呼出が行われるよう構成されているため、個々の住戸番号に対応する住戸親機は、施工時に住戸番号の登録が行われる。
従来のこの住戸親機登録操作は、例えば管理室親機において住戸番号を登録し、その後、個別の住戸親機と管理室親機双方の送受器をフックアップした状態で、管理室親機のテンキーボタンで住戸番号を押下する事により、住戸親機に対して住戸番号を登録していた（例えば、特許文献１参照）。
【０００３】
【特許文献１】特開２００２−２６１９５１号公報
【発明の開示】
【発明が解決しようとする課題】
【０００４】
しかしながら、上記従来の集合住宅用インターホンシステムの住戸親機登録操作は、住戸親機と管理室親機の双方に人員配置が必要であり面倒であったし、未登録の住戸親機の台数や、新たに住戸親機が接続された場合の台数を、作業者は把握することが出来なかったため、登録をし忘れることがあった。
更に、住戸親機登録操作中に管理室親機が呼び出しが掛かったら、進めていた住戸親機登録操作が全て解除されてしまうことがあり、その場合は住戸親機登録操作を最初からやり直さなければならないという問題もあった。
【０００５】
そこで、本発明はこのような問題点に鑑み、１人の作業者で住戸親機の登録操作が可能な集合住宅インターホンシステムを提供すること、更には住戸親機登録操作中に未登録の住戸親機の台数を把握でき、登録操作中の管理室親機が呼び出しを受けても、それまでの登録内容を保持し、中断された状態から引き続き登録操作を行うことができる集合住宅インターホンシステムを提供することを目的としている。
【課題を解決するための手段】
【０００６】
上記課題を解決する為に、請求項１の発明は、来訪者が居住者を呼び出して通話するための玄関機と、玄関機からの呼び出しに応答するための住戸親機と、玄関機及び住戸親機と通話が可能な管理室親機とを有する集合住宅インターホンシステムにおいて、住戸親機は、電源投入を受けて自身に設定されているＩＤを管理室親機に送信するＩＤ送信制御部を備える一方、管理室親機には、受信したＩＤ情報を基に住戸親機に住戸番号を登録操作する登録操作部、及び登録を制御する登録制御部とを有することを特徴とする。
この構成によれば、住戸親機側では電源投入だけすれば、自動的に管理室親機にＩＤが送付され、管理室親機の所定の操作で住戸番号の登録が可能となる。よって、例えば住戸親機ＩＤと住戸番号を対応させたテーブルを持った作業者が管理室親機を操作すれば良く、１人の作業者で登録作業が可能となるし、登録をスムーズに行うことができる。
【０００７】
請求項２の発明は、来訪者が居住者を呼び出して通話するための玄関機と、玄関機からの呼び出しに応答するための住戸親機と、玄関機及び住戸親機と通話が可能な管理室親機とを有する集合住宅インターホンシステムにおいて、住戸親機は、電源投入を受けて自身に設定されているＩＤを管理室親機に送信するＩＤ送信制御部を備える一方、管理室親機は、住戸親機ＩＤの住戸番号を対応させたＩＤテーブルを記憶したＩＤテーブル記憶部、及び住戸親機に住戸番号を登録する制御を行う登録制御部とを有し、登録制御部は、住戸親機からＩＤが送信されたらＩＤテーブルを参照して住戸親機に住戸番号を登録することを特徴とする。
この構成によれば、住戸親機側で電源投入すれば、自動的に管理室親機にＩＤが送付されるし、住戸親機と住戸番号の関係を記録したＩＤテーブルが管理室親機に記憶されているので、管理室親機はＩＤを受信する毎に自動で住戸親機に住戸番号を登録することができる。よって、作業者が１人でも住戸親機の登録をスムーズに行うことができる。
【０００８】
請求項３の発明は、来訪者が居住者を呼び出して通話するための玄関機と、玄関機からの呼び出しに応答するための住戸親機と、玄関機及び住戸親機と通話が可能な管理室親機と、玄関機、住戸親機、管理室親機の各機器間の通信を制御する制御機とを有する集合住宅インターホンシステムにおいて、住戸親機は、電源投入を受けて自身に設定されているＩＤを前記管理室親機に送信するＩＤ送信制御部を備える一方、制御機は、住戸親機ＩＤの住戸番号を対応させたＩＤテーブルを記憶したＩＤテーブル記憶部、及び住戸親機に住戸番号を登録する制御を行う登録制御部とを有し、登録制御部は、住戸親機からＩＤが送信されたら前記ＩＤテーブルを参照して住戸親機に住戸番号を登録することを特徴とする。
この構成によれば、住戸親機側で電源投入すれば、自動的に管理室親機にＩＤが送付されるし、住戸親機と住戸番号の関係を記録したＩＤテーブルが制御機に記憶されているので、制御機はＩＤを受信する毎に自動で住戸親機に住戸番号を登録することができる。よって、作業者が１人でも住戸親機の登録をスムーズに行うことができる。そして、制御機にＩＤテーブル記憶部等を設けることで、管理室親機を複数設置する場合であってもコストアップとならない。
【０００９】
請求項４の発明は、請求項１乃至３の何れかに記載の発明において、管理室親機は、未登録住戸親機の台数を表示する台数表示部を有し、登録制御部は、居室親機を登録中に更に他のＩＤを受信したときは、そのＩＤ情報を加えて台数表示部に表示することを特徴とする。
この構成によれば、住戸親機に住戸番号を登録中に他のＩＤを受信しても、作業者は台数表示部の表示から未登録の住戸親機の数を認識でき、登録のし忘れを防止できる。
【００１０】
請求項５の発明は、請求項１乃至４の何れかに記載の発明において、登録制御部は、住戸親機登録中の管理室親機に呼び出しが成されたら、登録モードから呼出モードに移行すると共に登録制御状態を保持し、呼出或いは通話が終了したら登録制御モードに復帰させて保持した状態から登録制御を継続することを特徴とする。
この構成によれば、親機登録中に呼び出しが成された場合には、その呼び出しに応答しても登録済みの住戸親機の住戸番号がリセットされることがなく、登録作業をスムーズに実施できる。
【発明の効果】
【００１１】
本発明によれば、住戸親機側では電源投入だけすれば、自動的に管理室親機にＩＤが送付され、管理室親機の所定の操作で住戸番号の登録が可能となる。よって、作業者が管理室親機に居るだけで登録操作が可能となり、作業者が１人でも住戸親機の登録をスムーズに行うことができる。また、台数表示部を管理室親機に設けることで、未登録の住戸親機の数を把握でき、登録のし忘れを防止できるし、親機登録中に呼び出し等が行われても、登録済みの住戸親機は登録がリセットされることがないため、登録作業をスムーズに実施できる。
【発明を実施するための最良の形態】
【００１２】
以下、本発明を具体化した実施の形態を、図面に基づいて詳細に説明する。図１は本発明に係る集合住宅インターホンシステムの一例を示す構成図であり、１は共同玄関に設置される玄関機、２は住戸毎に設置される住戸親機、３は管理人室等に設置される管理室親機であり、各機器は通信線Ｌ１で接続されている。
【００１３】
玄関機１は来訪者が居住者を呼び出すために住戸番号を入力するテンキー５、マイク６、スピーカ７、呼出先等を表示する表示部８等を備えている。また、住戸親機２は図２に示すように構成され、外部の商用電源１１に接続される電源回路１２、住戸親機２に設定されたＩＤ（住戸親機ＩＤ）を記憶するＩＤ記憶部１３、マイク及びスピーカを備えたハンドセットからなる通話部１４、住戸親機２を制御する親機制御部１５、玄関機１等と通信するためのインターフェース（親機ＩＦ）１６を備えている。
【００１４】
管理室親機３は図３に示すように構成され、受信したＩＤ情報等を表示する表示部１７、表示をスクロールするスクロールボタン１８、テンキー等から成る操作部１９、住戸親機ＩＤに住戸番号を登録した情報を記憶する登録用メモリ２０、マイク及びスピーカを備えたハンドセットから成る通話部２１、管理室親機３を制御する管理室親機制御部２２、インターフェース（管理室親機ＩＦ）２３を備えている。
【００１５】
このように構成された集合住宅インターホンシステムの動作は次のようである。玄関機１のテンキー５を操作して住戸番号を入力すると、入力された住戸が選択され、その住戸親機２に呼び出しが掛かる。この呼び出しを受けて、居住者により通話部（ハンドセット）１４を使用して応答操作すると、住戸親機２と玄関機１の間の通話路が形成され、通話が可能となる。そして、通話終了後ハンドセットを置くことで通話路が切断されて待受状態に戻る。
【００１６】
次に、このような住戸番号検索呼出による呼出動作を可能とするための住戸親機２の設定操作について説明する。図４は管理室親機３における住戸親機２の住戸番号登録操作の流れを示すフローチャートであり、このフローを基に説明する。管理室親機制御部２２はこのフローに基づいて設定制御する。
まず、所定の操作で住戸親機２が住戸番号を登録するための登録モードに変更されると、住戸親機ＩＤの入力待ちとなる。そして、住戸親機２から未登録ＩＤを受信（Ｓ２）したら、表示部１７にその台数が表示（Ｓ３）される。これは、未登録の住戸親機２の電源が投入されることで、住戸親機２から管理室親機３に対して送信されるもので、このＩＤは住戸親機２において予め設定されている。また、表示部１７での台数の表示は、未登録ＩＤを受信する毎に行われる。
【００１７】
台数の表示を受けて作業者が登録操作に入ったら（Ｓ４）、表示部１７には未登録の住戸親機ＩＤが表示される（Ｓ５）。尚、台数表示を待たずに住戸番号登録操作に入ったら（Ｓ１）、このＩＤ表示状態となる。
【００１８】
この表示されたＩＤを確認して登録操作に入る。作業者は、表示されたＩＤに対応する住戸番号を別途用意したＩＤテーブルを参照等して入力し、登録する（Ｓ６）。具体的に管理室親機３の操作部１９のテンキーボタンとスクロールボタン１８を使用して受信したＩＤ情報を表示部１７に個別に表示させ、表示したＩＤに対応する住戸番号をテンキーボタンで入力する事により登録を行う。こうして登録処理が成されて登録した情報は登録用メモリ２０に記憶される（Ｓ７）。
【００１９】
その後、未登録の住戸親機２がある場合（Ｓ８）は、そのＩＤが表示部１７に表示され（Ｓ５）、同様の操作で登録が行われる。また、未登録のＩＤが無くなると、即ち登録待ちの住戸親機が無くなる（Ｓ９）と、表示部１７には未登録住戸親機の台数が表示（この場合０台と表示）され（Ｓ３）る。そして、その後未登録ＩＤを受信したらその台数が再び表示され（Ｓ３）る。こうして、登録操作が成されて、登録が完全に終了したら所定の操作により登録モードが解除されて待受モードとなる。
【００２０】
以上が一連の住戸番号設定登録の流れであるが、管理室親機２での登録モードは呼び出しを受けたら解除されて呼出・通話が優先されるよう設定され、呼び出しを受けたら呼出モードに移行する。但し、管理室親機制御部２２は、登録モードから呼出モードに移行する際にそれまでの登録状態を維持し、呼び出し或いは応答操作が終了したら登録モードに自動復帰させ、引き続き記憶した状態から住戸親機登録操作が実施可能となる。
【００２１】
このように、住戸親機側では電源投入だけすれば、自動的に管理室親機にＩＤが送付され、管理室親機の所定の操作で住戸番号の登録が可能となる。よって、作業者が管理室親機を操作すれば良く、１人の作業者で登録作業が可能となるし、登録をスムーズに行うことができる。
また、住戸親機に住戸番号を登録中に他のＩＤを受信しても、作業者は台数表示部の表示から未登録の住戸親機の数を認識でき、登録のし忘れを防止できるし、親機登録中に呼び出しが成された場合には、その呼び出しに応答しても登録済みの住戸親機がリセットされることがなく、登録作業をスムーズに実施できる。
【００２２】
図５は管理室親機３の変更例を示している。上記図２の構成とはＩＤテーブル記憶部２５を備えている点が異なっている。尚、共通する構成要素には同一の符号を付与してある。ＩＤテーブル記憶部２５には、接続されている住戸親機２のＩＤと、対応する住戸番号とを対応させたテーブルが予め記憶されており、この対応情報を記憶することで住戸親機２の自動設定を可能としている。
具体的に、住戸親機２の電源が投入されて住戸親機２から管理室親機３に対してＩＤ情報が送信されると、管理室親機制御部２２は、登録モードに移行して管理室親機３の表示部１７に登録する台数を表示させる。そして、ＩＤテーブル記憶部２５のテーブルに基づいて順次、登録制御が自動的に行われる。この登録は上記図４のフローチャートの流れで実施される。
【００２３】
このように、住戸親機側で電源投入すれば、自動的に管理室親機にＩＤが送付されるし、住戸親機と住戸番号の関係を記録したＩＤテーブルが管理室親機に記憶されているので、管理室親機はＩＤを受信する毎に自動で住戸親機に住戸番号を登録することができる。よって、作業者が１人でも住戸親機の登録をスムーズに行うことができる。
【００２４】
尚、上記図５の構成は管理室親機３がＩＤテーブル記憶部２５を備えると共に、登録制御も行う構成となっているが、各機器間の通信を制御する制御機が設置されている場合は、この制御機にＩＤテーブル記憶部２５を設け、更に登録制御も行わせると良い。図６，７はこのような構成を示し、図６は制御機４を備えた集合住宅インターホンシステムの構成、図７は制御機４の回路ブロック図を示している。
図７に示すように、制御機４は登録用メモリ２０、ＩＤテーブル記憶部２５を備え、２６は制御機４の各部を制御する制御機制御部、２７は玄関機１，１・・と通信するための第１インターフェース（第１ＩＦ）、２８は住戸親機２，２・・及び管理室親機３，３・・と通信するための第２インターフェース（第２ＩＦ）である。
このように、制御機を備えるシステムでは、制御機にＩＤテーブル記憶部、登録制御機能を設けると都合が良く、管理室親機の構成を簡略化でき、管理室親機を複数設置する場合であってもコストアップとならない。但し、この場合も操作自体は管理室親機で行われる。
【００２５】
また、上記実施形態は何れも玄関機１、管理室親機３が複数の場合を示しているが、何れも１台であっても良い。
【図面の簡単な説明】
【００２６】
【図１】本発明に係る集合住宅インターホンシステムの実施形態の一例を示す構成図である。
【図２】図１の住戸親機の回路ブロック図である。
【図３】図１の管理室親機の回路ブロック図である。
【図４】住戸親機登録操作の流れを示すフローチャートである。
【図５】管理室親機の変更例を示す回路ブロック図である。
【図６】集合住宅インターホンシステムの他の例を示す構成図である。
【図７】図６の制御機の回路ブロック図である。
【符号の説明】
【００２７】
１・・玄関機、２・・住戸親機、３・・管理室親機、４・・制御機、１３・・ＩＤ記憶部、１５・・親機制御部（ＩＤ送信制御部）、１７・・表示部（台数表示部）、１８・・スクロールボタン（登録操作部）、１９・・操作部（登録操作部）、２０・・登録用メモリ、２２・・管理室親機制御部（登録制御部）、２５・・ＩＤテーブル記憶部、２６・・制御機制御部（登録制御部）。
【図１】
2009182843.tif 000003
【図２】
2009182843.tif 000004
【図３】
2009182843.tif 000005
【図４】
2009182843.tif 000006
【図５】
2009182843.tif 000007
【図６】
2009182843.tif 000008
【図７】
2009182843.tif 000009